(57)【要約】【課題】簡易な構造でありながら、安全で、かつ毛玉除去作業時における動物に与える不快感を低減し得る毛玉取り用器具を提供する。【解決手段】毛玉取り用器具１は、把持部２と、該把持部の一端部に設けられたフック状カッター部１２とを備え、前記フック状カッター部は、その先端部１４が略半球面状とされ、該先端部より僅かに控えた位置から内周部に沿って凹湾曲状に設けられた刃部１３を有し、かつ、平面視で凸湾曲形状とされるとともに、断面視における外周側の形状が丸みを帯びた凸湾曲面形状とされており、該フック状カッター部の基端部１５には、該フック状カッター部の開口ＯＰへの手指の挿入を阻止するための膨出部１６が形成されている。【選択図】図１
2010194072.tif 000002
【特許請求の範囲】
【請求項１】
把持部と、該把持部の一端部に設けられたフック状カッター部とを備え、
前記フック状カッター部は、その先端部が略半球面状とされ、該先端部より僅かに控えた位置から内周部に沿って凹湾曲状に設けられた刃部を有し、かつ、平面視で凸湾曲形状とされるとともに、断面視における外周側の形状が丸みを帯びた凸湾曲面形状とされており、
該フック状カッター部の基端部には、該フック状カッター部の開口への手指の挿入を阻止するための膨出部が形成されていることを特徴とする毛玉取り用器具。
【請求項２】
請求項１において、
前記膨出部は、前記フック状カッター部の基端部側から前記開口を拡開する方向に傾斜した形状とされていることを特徴とする毛玉取り用器具。
【請求項３】
請求項１または２において、
把持部長手方向中心線からの前記先端部の出幅が、該中心線からの前記膨出部の出幅以下とされていることを特徴とする毛玉取り用器具。
【請求項４】
請求項１乃至３のいずれか１項において、
前記把持部の他端部には、櫛部或いはブラシ部が設けられていることを特徴とする毛玉取り用器具。
【請求項５】
請求項４において、
前記櫛部の櫛歯或いは前記ブラシ部のブラシは、前記フック状カッター部の開口側とは異なる側に延出されるとともに、先端が丸い複数のピン状部材からなることを特徴とする毛玉取り用器具。
【請求項６】
請求項１乃至５のいずれか１項において、
前記フック状カッター部は、前記把持部に対して着脱可能とされていることを特徴とする毛玉取り用器具。
【発明の詳細な説明】
【技術分野】
【０００１】
本発明は、毛玉を除去するための毛玉取り用器具に関し、詳しくは、犬や猫等の動物の被毛がもつれて形成された毛玉を除去するための毛玉取り用器具に関する。
【背景技術】
【０００２】
犬や猫等の動物は、換毛等によって抜け毛が発生するためにその抜け毛を除去するためや、該動物の血行や毛艶を向上させるため、皮膚や被毛（体毛）からの汚れの除去のため等の種々の理由から、該動物の被毛を、定期的に櫛（コーム）やブラシ等によってコーミングやブラッシング（いわゆるグルーミング）する必要がある。
上記のようにグルーミングする際に、被毛にもつれや毛玉等があると、その部分でブラシや櫛が引っ掛かり、皮膚が引っ張られたり、被毛を引き抜いてしまったりする場合があり、動物に対して不快感を与える場合があった。
上記のようにグルーミングの際に、被毛にもつれや毛玉等が存在し、ブラシや櫛が引っ掛かった際には、粗めのブラシや櫛で徐々に解きほぐしたり、手で解きほぐしたり、或いは、解きほぐせないような毛玉が形成されている場合には、被毛を掻き分けて、ハサミ等によって毛玉が形成されている被毛の部位を切除したりする必要があり、面倒な作業であると共に、動物にも不快感を与えるものであった。
【０００３】
下記特許文献１では、犬、猫等ペットのフェルト状態になった毛玉を解くために使用される毛玉とりフックカッターが提案されている。
上記毛玉とりフックカッターは、刃先部分が、皮膚に刺さり傷つけないよう、先端に丸みをつけている。これによれば、安全に毛玉を取り除くことができる、と説明されている。
【先行技術文献】
【特許文献】
【０００４】
【特許文献１】特開２００６−５５５８３号公報（図２参照）
【発明の概要】
【発明が解決しようとする課題】
【０００５】
しかしながら、上記特許文献１に記載された毛玉とりフックカッターでは、平板形状とされた基板部の先側に、鎌のようなフック刃が連成された形状とされている。
このような形状では、該フック刃の部位に人間の手指や動物の皮膚等が触れる恐れがあり、安全面において更なる改善が望まれていた。
【０００６】
本発明は、上記実情に鑑みなされたものであり、簡易な構造でありながら、安全で、かつ毛玉除去作業時における動物に与える不快感を低減し得る毛玉取り用器具を提供することを目的としている。
【課題を解決するための手段】
【０００７】
前記目的を達成するために、本発明に係る毛玉取り用器具は、把持部と、該把持部の一端部に設けられたフック状カッター部とを備え、前記フック状カッター部は、その先端部が略半球面状とされ、該先端部より僅かに控えた位置から内周部に沿って凹湾曲状に設けられた刃部を有し、かつ、平面視で凸湾曲形状とされるとともに、断面視における外周側の形状が丸みを帯びた凸湾曲面形状とされており、該フック状カッター部の基端部には、該フック状カッター部の開口への手指の挿入を阻止するための膨出部が形成されていることを特徴とする。
【０００８】
本発明に係る前記毛玉取り用器具においては、前記膨出部を、前記フック状カッター部の基端部側から前記開口を拡開する方向に傾斜させた形状にしてもよい。
また、本発明に係る前記毛玉取り用器具においては、把持部長手方向中心線からの前記先端部の出幅を、該中心線からの前記膨出部の出幅以下にしてもよい。
【０００９】
また、本発明に係る前記毛玉取り用器具においては、前記把持部の他端部に、櫛部或いはブラシ部を設けるようにしてもよい。
また、本発明に係る前記毛玉取り用器具においては、前記櫛部の櫛歯或いは前記ブラシ部のブラシを、前記フック状カッター部の開口側とは異なる側に延出させるとともに、先端が丸い複数のピン状部材からなるものにしてもよい。
【００１０】
また、本発明に係る前記毛玉取り用器具においては、前記フック状カッター部を、前記把持部に対して着脱可能にしてもよい。
【発明の効果】
【００１１】
本発明に係る前記毛玉取り用器具は、前記フック状カッター部の刃部が該フック状カッター部の先端部より僅かに控えた位置から内周部に沿って凹湾曲状に設けられており、また、該フック状カッター部の先端部が略半球面状とされている。従って、該フック状カッター部で毛玉を形成している被毛の束を引っ掛けるようにして、その束を捕捉し、上記刃部によって該毛玉が形成されている部位を切除することで毛玉を除去できる。また、その際に、該先端部によって作業者の手指や動物の皮膚等が傷つけられるようなことがなく、安全に毛玉の除去作業を行える。
また、前記フック状カッター部は、平面視で凸湾曲形状とされるとともに、断面視における外周側の形状が丸みを帯びた凸湾曲面形状とされている。従って、該フック状カッター部の外周が動物の皮膚等に触れた場合にも、該皮膚等を傷つけたり、痛みを与えたりするようなことがなく、該動物に不快感を与えるようなことを低減できる。
さらに、前記フック状カッター部の基端部には、該フック状カッター部の開口への手指の挿入を阻止するための膨出部が設けられているので、該フック状カッター部の上記刃部に手指等が意図せず触れるようなことを防止でき、安全面において優れたものとなる。
【００１２】
本発明に係る前記毛玉取り用器具において、前記膨出部を、前記フック状カッター部の基端部側から前記開口を拡開する方向に傾斜させた形状にすれば、該フック状カッター部の開口内に、毛玉を形成している被毛の束を、容易に誘導でき、毛玉の除去作業を効果的に向上させることができる。
【００１３】
本発明に係る前記毛玉取り用器具において、把持部長手方向中心線からの前記先端部の出幅を、該中心線からの前記膨出部の出幅以下にすれば、該フック状カッター部の先端部が、平面視において前記膨出部の幅方向外方側端部から突出するような形状とならず、当該毛玉取り用器具を取り扱う際に、該先端部が手指や衣服等に引っ掛かるようなことがなく、取扱い性に優れたものとなる。また、上述のように、毛玉を除去する際に、該先端部が毛玉を形成していない被毛を引っ掛けてしまうようなことを低減できるとともに、安全面においてより優れたものとなる。
【００１４】
本発明に係る前記毛玉取り用器具において、前記把持部の他端部に、櫛部或いはブラシ部を設けるようにすれば、当該毛玉取り用器具を用いて、動物の被毛を、コーミング或いはブラッシングできるとともに、該作業中に、毛玉があった場合には、上述のように毛玉の除去ができるので、便利な器具となる。
【００１５】
本発明に係る前記毛玉取り用器具において、前記櫛部の櫛歯或いは前記ブラシ部のブラシを、前記フック状カッター部の開口側とは異なる側に延出させるとともに、先端が丸い複数のピン状部材からなるものにすれば、コーミング或いはブラッシング作業及び毛玉除去作業の一連の作業性を向上させることができるとともに、動物に不快感を与えるようなことを低減できる。
すなわち、把持部を把持してその他端部に設けられた櫛部或いはブラシ部を用いて、コーミング或いはブラッシングをしている際に、毛玉に引っ掛かり、該毛玉を除去する必要が生じた際には、該把持部を回転させて持ち替えることで、容易にフック状カッター部の開口側を毛玉の形成されている被毛の束側に位置させることができ、また、逆に、毛玉を除去した後に、該把持部を回転させて持ち替えることで、櫛部の櫛歯或いはブラシ部のブラシを、コーミング或いはブラッシング作業を行う側に位置させることができるので、上記一連の作業性を向上させることができる。
また、上記のように、櫛部の櫛歯或いはブラシ部のブラシは、先端が丸いピン状部材からなるので、動物の皮膚への刺激が低減され、動物に不快感を与えるようなことを低減できる。
【００１６】
本発明の前記毛玉取り用器具において、前記フック状カッター部を、前記把持部に対して着脱可能にすれば、当該フック状カッター部の刃部が劣化したような場合に、取り替えることができ、コスト面において優れたものとなる。
或いは、動物の種類等に応じて、フック状カッター部の開口の大きさや刃部の形状等を異ならせたものを、交換可能に把持部に対して取付けるようなことも可能となる。
【図面の簡単な説明】
【００１７】
【図１】（ａ）、（ｂ）は、いずれも本発明に係る毛玉取り用器具の一実施形態を模式的に示し、（ａ）は、概略平面図、（ｂ）は、（ａ）におけるＹ矢印方向から見た概略平面図である。
【図２】（ａ）は、図１（ａ）におけるＸ部の概略拡大図、（ｂ）は、（ａ）におけるＺ−Ｚ線矢視概略断面図である。
【図３】（ａ）、（ｂ）は、いずれも本発明に係る毛玉取り用器具の他の実施形態を模式的に示し、（ａ）は、概略平面図、（ｂ）は、概略分解平面図である。
【発明を実施するための形態】
【００１８】
以下に本発明の実施の形態について、図面に基づいて説明する。
図１（ａ）、（ｂ）は、いずれも第１実施形態に係る毛玉取り用器具を模式的に示し、（ａ）は、概略平面図、（ｂ）は、（ａ）におけるＹ矢印方向から見た概略平面図、図２（ａ）は、図１（ａ）におけるＸ部の概略拡大図、（ｂ）は、（ａ）におけるＺ−Ｚ線矢視概略断面図である。
尚、各図では、右利き用の毛玉取り用器具を図示している。
【００１９】
本実施形態に係る毛玉取り用器具１は、図１に示すように、大略的に、把持部２と、該把持部２の一端部に設けられた毛玉カッター本体１０と、該把持部２の他端部に設けられた櫛部３と、上記毛玉カッター本体１０のキャップ部７とを備えている。
上記把持部２は、適所に滑り止めの凹溝を形成した断面略矩形状の棒状部材とされ、その一端部に上記毛玉カッター本体１０が連設されており、また、他端部が先側に向けて断面角丸形状とされて、該他端部に櫛部３が連成されている。
また、上記把持部２の一端部には、後記するキャップ部７の係止片７ａ，７ａが嵌め入れられる係止凹溝２ａ，２ａが設けられている。
尚、上記把持部２の形状（長さや太さ等）は、図例のような断面略矩形状の棒状部材とされたものに限られず、どのような形状でもよく、握り易い形状とすればよい。
【００２０】
上記櫛部３は、上記把持部２の他端部に連成された棒状の櫛歯元部４と、該櫛歯元部４に長手方向に沿って設けられ、櫛歯５を構成する複数のピン状部材５ａとを備えている。
上記ピン状部材５ａは、後記するフック状カッター部１２の開口ＯＰ側とは異なる側にそれぞれ延出されるとともに、その先端が丸く形成されている。
上記把持部２及び該把持部２に連成された櫛歯元部４は、例えば、合成樹脂材等で成形し、上記ピン状部材５ａは、ゴム等の弾性部材或いは金属製部材等により形成するようにしてもよい。
尚、櫛部３に代えて、複数本のピン状部材５ａをブラシ状に設けたブラシ部を設けるようにしてもよい。
【００２１】
上記キャップ部７は、上記把持部２の一端部に紐状部材６を介して連結されており、上記把持部２の一端部に形成された上記係止凹溝２ａ，２ａに嵌め入れられる係止片７ａ，７ａと、後記する毛玉カッター本体１０を収容可能な凹部７ｂとを有している。
このキャップ部７は、上記係止片７ａ，７ａを上記把持部２の係止凹溝２ａ，２ａに嵌め入れて、把持部２の一端部に取付けられた状態では、図１の二点鎖線で示すように、上記把持部２と合体接続されて該把持部２と略同太さ（断面略同形状）で把持部２に連設される。キャップ部７をこのような構成にすることで、該キャップ部７を、把持部２の一部として把握でき、該キャップ部７を把持部２に取付けて、櫛部３を使用する際に、取扱い性に優れたものとなる。また、このように毛玉カッター本体１０のキャップ部７を設けることで、より安全面において優れたものとなる。
【００２２】
上記毛玉カッター本体１０は、上記把持部２の一端部に固着されており、該把持部２の長手方向に沿って延出するように設けられた平板状のフック基部１１と、該フック基部１１に連成されたフック状カッター部１２とを備えている。
この毛玉カッター本体１０は、後記する刃部１３を除いて、例えば合成樹脂材等で形成されている。
上記フック基部１１は、その長手方向中心線が上記把持部２の長手方向中心線ＣＬと略一致するように設けられている。また、該フック基部１１の幅（把持部２の長手方向と直交する方向の幅）は、後記するフック状カッター部１２の幅と略同幅或いは小さく形成されている。このように、フック基部１１の幅をフック状カッター部１２の幅以下とすることで、後記するように被毛を掻き分ける際に、フック基部１１が邪魔になるようなことがない。
【００２３】
上記フック状カッター部１２は、その内周部に沿って、凹湾曲状に設けられた刃部１３を有し、該刃部１３は、当該フック状カッター部１２の先端部１４より僅かに控えた位置から設けられている。換言すれば、図２（ａ）に示すように、フック状カッター部１２の刃部１３の先端側部位から先端部１４の最先端部位までの幅が、所定の延出幅ｄとなるように先端部１４が延出された形状とされている。
この刃部１３は、炭素鋼やステンレス等の金属材で形成されており、上述のように合成樹脂材で製されたフック状カッター部１２の内周部に形成された凹溝（不図示）に嵌め入れられて接着剤等によって固着されている。
尚、毛玉カッター本体１０を、金属材からなるものとし、該刃部１３を一体的に形成するようにしてもよい。
【００２４】
また、上記延出幅ｄは、当該フック状カッター部１２や開口ＯＰの大きさ等により適宜、設定可能であるが、安全面の観点から０．５ｍｍ程度〜５．０ｍｍ程度としてもよい。該延出幅ｄを極端に小さくすれば、該先端部１４に手指等が触れた際に、刃部１３に手指が触れてしまう恐れがあり、該延出幅ｄを極端に大きくすれば、刃部１３の刃代を十分に取るために当該フック状カッター部１２自体を大型化させる必要があるが、上記程度の延出幅ｄとすることで、小型化が図れるとともに、安全面において優れたものとなる。
さらに、上記刃部１３は、図例では、右利き用の片刃状、すなわち、該毛玉取り用器具１を右手で把持して使用する際に、開口ＯＰが左側方に向けて開放した配置となるとともに、刃部１３の切刃が動物の皮膚側に位置するような形状とされているが、左利き用の片刃状、すなわち、該毛玉取り用器具１を左手で把持して使用する際に、開口ＯＰが右側方に向けて開放した配置となるとともに、刃部１３の切刃が動物の皮膚側に位置するような形状としてもよい。或いは、両刃状にしてもよい。これによれば、利き手によらず、使い勝手が良い。
【００２５】
また、上記フック状カッター部１２は、図１（ａ）及び図２（ａ）に示すように、その外形が平面視で凸湾曲形状とされており、上記先端部１４は、図２（ａ）、（ｂ）に示すように、略半球面状、すなわち、丸みを帯びた凸湾曲面形状とされている。また、該フック状カッター部１２の断面視における外周側の形状は、図２（ｂ）に示すように、丸みを帯びた凸湾曲面形状とされている。図例では、該フック状カッター部１２の刃部１３を除いた断面形状（湾曲形状とされたフック状カッター部１２の湾曲方向に直交する方向の断面形状）が楕円形状とされており、その外周側のみならず、内周側も丸みを帯びた凸湾曲面形状とされている。
また、上記フック状カッター部１２の基端部１５には、該フック状カッター部１２の開口ＯＰへの手指の挿入を阻止するための膨出部１６が形成されている。すなわち、該フック状カッター部１２の基端部１５を膨出させるようにして膨出部１６を形成し、開口ＯＰに手指が挿入されないように、該膨出部１６によって該開口ＯＰを狭めている。
また、該膨出部１６は、本実施形態では、上記基端部１５側から開口ＯＰを拡開する方向に傾斜した傾斜部１６ａを有した形状とされている。つまり、該膨出部１６のフック状カッター部１２の内周部に対向する側の面が傾斜面となるように傾斜部１６ａが形成されている。
【００２６】
尚、上記膨出部１６の外方側（幅方向外方側）端部と、先端部１４との間に形成された開口ＯＰの開口幅は、毛玉を形成している被毛の束を受け入れ可能な幅とするとともに、幼児等の手指が該開口ＯＰから挿入されて刃部１３に触れないような幅とすればよい。例えば、２．０ｍｍ程度から１０．０ｍｍ程度としてもよい。
また、本実施形態では、図例のように、当該フック状カッター部１２の基端側に連成された上記フック基部１１と略同幅とされて、該フック基部１１に上記膨出部１６が連成するように形成されたものを図示しているが、例えば、フック基部１１を、図例のような膨出部１６に合わせた平板状とせずに、細長棒状としたものとし、該フック状カッター部１２の基端部１５から膨出部１６を膨出させたような態様としてもよい。或いは、膨出部１６自体も棒状の部材で構成し、膨出させるように屈曲させて、膨出部を構成するような態様としてもよい。
【００２７】
さらに、上記フック状カッター部１２は、図２（ａ）に示すように、把持部長手方向中心線ＣＬからの先端部１４の出幅Ｗ１が同中心線ＣＬからの膨出部１６の出幅Ｗ２以下となるように形成されている。図例では、上記先端部１４の出幅Ｗ１と上記膨出部の出幅Ｗ２とが略同幅となるように形成されている。換言すれば、同中心線ＣＬと平行な膨出部１６の外方側端部に接する接線に、先端部１４が接するように形成されている。
尚、同接線に、先端部１４が接しないように、先端部１４の出幅Ｗ１を、膨出部１６の出幅Ｗ２よりも小さくするようにしてもよい。
【００２８】
また、上記フック状カッター部１２の幅（把持部２の長手方向と直交する方向の幅）は、毛玉除去の対象となる動物の種類等に応じて、適宜、設定可能であるが、毛玉を形成する被毛の束の捕捉が可能な幅とすればよい。例えば、３．０ｍｍ程度から１５．０ｍｍ程度としてもよい。この幅を極端に小さくすれば、上記被毛の束を捕捉して切除することが困難となる恐れがあり、上記幅を極端に大きくすれば、被毛を掻き分けて、上記被毛の束を捕捉する際に、フック状カッター部１２が大きいことから捕捉し難くなる傾向があるとともに、毛玉を形成している被毛以外の部位を捕捉してしまう傾向があるが、上記程度の幅とすることで、毛玉除去作業時の被毛の掻き分け、及び被毛の束の捕捉を効率的に行えるものとなる。
さらに、上記毛玉カッター本体１０の長さ（把持部２の長手方向と同方向の長さ）は、１５．０ｍｍ程度から１００．０ｍｍ程度としてもよい。極端に短くすれば、把持部２の太さにもよるが、被毛を掻き分ける際に、把持部２が邪魔になる傾向があり、極端に長くすれば、当該毛玉取り用器具１自体が大型化する傾向がある。
【００２９】
次に、上記構成とされた毛玉取り用器具１の使用態様（動物の被毛のコーミング及び毛玉除去）の一例について簡単に説明する。
まず、キャップ部７を嵌めた状態で、櫛部３を用いて、動物の被毛をコーミングする。このコーミングの際に、櫛歯５にもつれた被毛が引っ掛かり、そのもつれが解きほぐせないような毛玉である場合には、把持部２を回転（例えば、図示反時計回りに回転）させて、持ち替えて、キャップ部７を取外す。
次いで、被毛を掻き分けて、当該毛玉が形成されている被毛の束を、フック状カッター部１２の開口ＯＰから挿入し、引っ掛けるようにして捕捉して、手前側に引いて刃部１３によって該束を切除すれば、当該毛玉を除去することができる。
また、毛玉を除去した後は、キャップ部７を嵌め入れて、或いは嵌めずにそのままで、把持部２を回転（例えば、図示時計回りに回転）させて持ち替えることで、櫛部３の櫛歯５がコーミング可能な方向となり、コーミングすることができる。
【００３０】
以上のように、本実施形態に係る毛玉取り用器具１は、上記フック状カッター部１２の刃部１３が該フック状カッター部１２の先端部１４より僅かに控えた位置から内周部に沿って凹湾曲状に設けられており、また、該フック状カッター部１２の先端部１４が略半球面状とされている。従って、上述のように、毛玉を除去する際に、該先端部１４によって作業者の手指や動物の皮膚等が傷つけられるようなことがなく、安全に毛玉の除去作業を行える。
また、上記フック状カッター部１２は、平面視で凸湾曲形状とされるとともに、断面視における外周側の形状が丸みを帯びた凸湾曲面形状とされている。従って、該フック状カッター部１２の外周が動物の皮膚等に触れた場合にも、該皮膚等を傷つけたり、痛みを与えたりするようなことがなく、該動物に不快感を与えるようなことを低減できる。
さらに、上記フック状カッター部１２の基端部１５には、該フック状カッター部１２の開口ＯＰへの手指の挿入を阻止するための膨出部１６が設けられているので、該フック状カッター部１２の上記刃部１３に手指等が意図せず触れるようなことを防止でき、安全面において優れたものとなる。
【００３１】
さらにまた、本実施形態では、上記膨出部１６は、上記基端部１５側から開口ＯＰを拡開する方向に傾斜した傾斜部１６ａを有した形状とされているので、該フック状カッター部１２の開口ＯＰ内に、毛玉を形成している被毛の束を、容易に誘導でき、毛玉の除去作業を効果的に向上させることができる。
また、本実施形態では、把持部長手方向中心線ＣＬからの先端部１４の出幅Ｗ１を、該把持部長手方向中心線ＣＬからの膨出部１６の出幅Ｗ２以下にしているので、該フック状カッター部１２の先端部１４が、平面視において膨出部１６の外方側端部から突出するような形状とならず、当該毛玉取り用器具１を取り扱う際に、該先端部１４が手指や衣服等に引っ掛かるようなことがなく、取扱い性に優れたものとなる。また、該先端部１４が毛玉を形成していない被毛に引っ掛かるようなことを低減できるとともに、安全面においてより優れたものとなる。
【００３２】
さらに、本実施形態では、上記把持部２の他端部に、櫛部３を設けるようにしているので、当該毛玉取り用器具１を用いて、動物の被毛を、コーミングできるとともに、該作業中に、毛玉があった場合には、上述のように毛玉の除去ができるので、便利な器具となる。
特に、本実施形態では、上述のように、上記櫛部３の櫛歯５を、上記フック状カッター部１２の開口ＯＰ側とは異なる側に延出させるとともに、先端が丸い複数のピン状部材５ａからなるものにしているので、コーミング作業及び毛玉除去作業の一連の作業性を向上させることができるとともに、動物に不快感を与えるようなことを低減できる。
【００３３】
尚、本実施形態では、櫛部３の櫛歯５を、上記フック状カッター部１２の開口ＯＰ側とは異なる側に延出させた例を示しているが、開口ＯＰ側に延出させたものとしてもよい。
また、櫛歯５は、本実施形態では、長毛種の被毛のもつれほぐし用として好適な比較的、粗めに設けられた細長状の複数のピン状部材５ａからなるものとしているが、これに限られず、先端を丸く形成した円錐状の短いものとしてもよい。このような櫛歯５の構成は、コーミング対象である動物の種類、例えば、短毛種、長毛種等や毛質等により適宜、設定可能である。
【００３４】
さらに、本実施形態では、毛玉カッター本体１０を収容するキャップ部７を設けた例を示しているが、キャップ部７を設ける態様に代えて、毛玉カッター本体１０を、把持部２に対して伸縮自在とし、把持部２に収容可能な態様としてもよい。
さらにまた、本実施形態では、把持部２の一端部に、フック基部１１を介してフック状カッター部１２を設けた毛玉カッター本体１０を例示しているが、把持部２の一端部をフック基部１１のように細長平板状或いは細長棒状に形成し、その先端部にフック状カッター部を連設するような態様としてもよい。
【００３５】
次に、本発明に係る他の実施の形態について、図面を参照しながら説明する。
図３（ａ）、（ｂ）は、いずれも第２実施形態に係る毛玉取り用器具を模式的に示し、（ａ）は、概略平面図、（ｂ）は、概略分解平面図である。
尚、上記第１実施形態との相違点は、主に、把持部及び毛玉カッター本体の構成であり、同様の構成については、同一符号を付し、その説明を省略あるいは簡略に説明する。
また、図３（ａ）、（ｂ）では、把持部の長手方向中心線ＣＬ、フック状カッター部の先端部及び膨出部の各出幅Ｗ１，Ｗ２、及び先端部の延出幅ｄを図示省略しているが、上記第１実施形態と同様である。
【００３６】
本実施形態に係る毛玉取り用器具１Ａは、把持部２Ａの他端部に櫛部を設けていない点、キャップ部を備えていない点が上記第１実施形態とは異なる。
また、該把持部２Ａの一端部には、キャップ部の係止凹溝を設けずに、後記する毛玉カッター本体１０Ａを着脱可能に係止するための係止凹部８が設けられている。
該係止凹部８の内周側壁には、底部側を拡開するようにして形成された一対の係止段部９，９が形成されている。
【００３７】
また、毛玉取り用器具１Ａが備える毛玉カッター本体１０Ａは、本実施形態では、上記把持部２Ａに対して着脱可能とされており、該毛玉カッター本体１０Ａのフック基部１１Ａには、上記把持部２Ａの係止凹部８に嵌め入れられる一対の係止突片部１７，１７が空隙を隔てて、長手方向に沿って伸びるように設けられている。
これら一対の係止突片部１７，１７の先端部には、上記把持部２Ａの係止凹部８の係止段部９，９に係止される係止爪部１８，１８がそれぞれ設けられている。
【００３８】
上記構成とされた毛玉取り用器具１Ａでは、上記係止突片部１７，１７の外側部位を、幅方向中心（フック基部１１Ａ自体の長手方向中心線）に向けて押圧することで、これら係止突片部１７，１７の幅方向への弾性変形を伴い、幅が縮小されて、上記係止凹部８の係止段部９，９と係止爪部１８，１８とのそれぞれ係止が解除され、その状態で引き抜くことで、毛玉カッター本体１０Ａを、把持部２Ａから脱離させることができる。
また、上記のように脱離させた毛玉カッター本体１０Ａを、把持部２Ａに取付ける際には、上記係止爪部１８，１８の先端を、係止凹部８に挿入して押し込むことにより、上記一対の係止突片部１７，１７の弾性変形を伴い、幅が縮小されて、挿入が可能となる。さらに押し込んで、係止凹部８の底部まで挿入すれば、上記一対の係止突片部１７，１７の弾性復元力により、上記係止凹部８の係止段部９，９と係止爪部１８，１８とが互いに係止されて掛け止めがなされて、毛玉カッター本体１０Ａを、把持部２Ａに取付けることができる。
【００３９】
また、上記毛玉カッター本体１０Ａが備えるフック状カッター部１２Ａは、膨出部１６Ａの形状が上記第１実施形態の例とは異なる。
該膨出部１６Ａは、本実施形態では、上記のような傾斜部を有しておらず、該フック状カッター部１２Ａの内周部に対向する側の面が、幅方向に傾斜せずに延びるような形状とされている。
また、該膨出部１６Ａの外方側端部と、先端部１４との間に形成された開口ＯＰＡの開口幅は、上記第１実施形態と同様、毛玉を形成している被毛の束を受け入れ可能な幅とするとともに、幼児等の手指が該開口ＯＰＡから挿入されて刃部１３に触れないような幅とすればよい。
【００４０】
上記構成とされた本実施形態に係る毛玉取り用器具１Ａによれば、上記第１実施形態と同様、安全で、かつ毛玉除去作業時における動物への不快感を低減させることができるものとなる。
また、上記毛玉カッター本体１０Ａは、把持部２Ａに対して着脱可能とされているので、該毛玉カッター本体１０Ａのフック状カッター部１２Ａの刃部１３が劣化したような場合に、毛玉カッター本体１０Ａを取り替えることができ、コスト面において優れたものとなる。
【００４１】
尚、動物の種類等に応じて、フック状カッター部１２Ａの開口ＯＰＡの大きさや刃部１３の形状等を異ならせた毛玉カッター本体１０Ａを、交換可能に把持部２Ａに対して取付可能な構成にしてもよい。
また、把持部２Ａと毛玉カッター本体１０Ａとの係止態様は、図例のような態様に限られず、把持部２Ａに対して毛玉カッター本体１０Ａを着脱可能に係止し得る態様であれば、どのようなものでもよい。
さらに、本実施形態では、毛玉カッター本体１０Ａを、把持部２Ａに対して着脱可能な構成としているが、フック状カッター部１２Ａを、フック基部１１Ａに対して着脱可能な構成としてもよい。この場合は、フック基部１１Ａを把持部２Ａの一部として把握するようにしてもよい。
【００４２】
さらにまた、本実施形態に係るフック状カッター部１２Ａの膨出部１６Ａに代えて、上記第１実施形態にて説明した膨出部１６を適用するようにしてもよい。
さらにまた、把持部２Ａの一端部に、上記第１実施形態にて説明した係止凹溝を形成して、キャップ部を設けるようにしてもよい。
また、把持部２Ａの他端部に、上記第１実施形態にて説明した櫛部を設けるようにしてもよい。
さらに、本実施形態に係る毛玉カッター本体１０Ａを、把持部２Ａに対して着脱不能に固着させた態様にしてもよい。
【符号の説明】
【００４３】
１，１Ａ          毛玉取り用器具
２，２Ａ          把持部
３                櫛部
５                櫛部の櫛歯
５ａ              櫛歯を構成するピン状部材
１２，１２Ａ      フック状カッター部
１３              フック状カッター部の刃部
１４              フック状カッター部の先端部
１５              フック状カッター部の基端部
１６，１６Ａ      フック状カッター部の膨出部
ＯＰ，ＯＰＡ      フック状カッター部の開口
ＣＬ              把持部長手方向中心線
Ｗ１              フック状カッター部の先端部の出幅
Ｗ２              フック状カッター部の膨出部の出幅
【図１】
2010194072.tif 000003
【図２】
2010194072.tif 000004
【図３】
2010194072.tif 000005